(57)【要約】【課題】ヒンジ機構部に影響なくカメラ本体枠の横幅寸法及び液晶パネル支持枠の横幅寸法をそれぞれ所望の値に設定する。【解決手段】カメラ本体枠１１の側面１１ｂに対して、液晶表示部１４をヒンジ機構部２０により開閉自在に取り付ける際に、ヒンジ機構部２０は、カメラ本体枠１１の上面１１ｃのうちで一端部近傍に液晶パネル支持枠１６側に向かって取り付けられ、垂直方向に沿った第１の軸（Ｘ軸）を有する第１のヒンジ２１と、液晶パネル支持枠１６のうちでカメラ本体枠１１の上面１１ｃの一端部側に位置する左側面１６ｅよりも内側の上方部位に取り付けられ、第１の軸（Ｘ軸）と直交して水平方向に沿った第２の軸（Ｙ軸）を有する第２のヒンジ２２と、一端側が第１のヒンジ２１を中心にして回動自在に連結され、且つ、他端側が第２のヒンジ２２を中心して回動自在に連結された連結部材２８と、を備えている。【選択図】図２
2008035229.tif 000002
【特許請求の範囲】
【請求項１】
カメラ本体枠と、
液晶パネルが液晶パネル支持枠の内面に取り付けられてなる液晶表示部と、
前記カメラ本体枠の側面に対して、前記液晶表示部を開閉自在に支持するヒンジ機構部と、を備えた電子カメラにおいて、
前記ヒンジ機構部は、
前記カメラ本体枠の上面のうちで一端部近傍に前記液晶パネル支持枠側に向かって取り付けられ、垂直方向に沿った第１の軸を有する第１のヒンジと、
前記液晶パネル支持枠のうちで前記カメラ本体枠の上面の一端部側に位置する側面よりも内側の上方部位に取り付けられ、前記第１の軸と直交して水平方向に沿った第２の軸を有する第２のヒンジと、
一端側が前記第１のヒンジを中心にして回動自在に連結され、且つ、他端側が前記第２のヒンジを中心して回動自在に連結された連結部材と、を備えたことを特徴とする電子カメラ。
【発明の詳細な説明】
【技術分野】
【０００１】
本発明は、スチルカメラやビデオカメラなどの電子カメラにおいて、カメラ本体枠の側面の外側に液晶表示部をヒンジ機構部により開閉自在に取り付けた電子カメラに関するものである。
【背景技術】
【０００２】
スチルカメラやビデオカメラなどの電子カメラでは、レンズ鏡筒内に設けた撮影レンズにより撮影した被写体像を表示するための液晶表示部がカメラ本体枠の側面の外側にヒンジ機構部により開閉自在に取り付けられている。
【０００３】
この種の電子カメラにおいて、液晶表示部は、撮影レンズにより撮影した被写体像を表示する長方形状の液晶パネルと、この液晶パネルを取り付ける直方形状の液晶パネル支持枠とで構成されており、電子カメラの不使用時に、液晶パネルをカメラ本体枠の側面と対向するように液晶パネル支持枠の内面に取り付けた状態で、この液晶パネル支持枠をカメラ本体枠の側面の外側にヒンジ機構部により開閉自在に取り付けている。
【０００４】
従って、電子カメラを使用しない時（不使用時）に、液晶表示部は閉じた状態であり、液晶パネル支持枠の内面に取り付けた液晶パネルをカメラ本体枠の側面に重ね合わせて液晶パネルを保護している。
【０００５】
一方、電子カメラを使用する時には、液晶表示部を開いて液晶パネル支持枠の内面に取り付けた液晶パネルを使用者が目視できるようになっている。
【０００６】
そして、一般的に、液晶表示部をカメラ本体枠の側面の外側に開閉自在に取り付ける場合には、カメラ本体枠の側面と、上下一対の長辺と左右一対の短辺とにより直方形状に形成された液晶パネル支持枠のうちで一方の短辺側の側面の外側中央部位との間にヒンジ機構部が取り付けられているものの、上記した構造形態のヒンジ機構部に対して一部改良を図った映像撮影記録再生装置がある（例えば、特許文献１参照）。
【特許文献１】特開平１１−３３１６５２号公報
【０００７】
図６は従来の映像撮影記録再生装置を示した斜視図であり、（ａ）は液晶パネル支持枠をＸ軸となる第１のヒンジを中心にして回動させた状態を示し、（ｂ）は液晶パネル支持枠をＹ軸となる第２のヒンジを中心にして回動させた状態を示した図である。
【０００８】
図６（ａ），（ｂ）に示した従来の映像撮影記録再生装置１００は、上記した特許文献１（特開平１１−３３１６５２号公報）に開示されているものであり、ここでは特許文献１を参照して簡略に説明する。
【０００９】
図６（ａ），（ｂ）に示した如く、従来の映像撮影記録再生装置１００は、液晶画面付きビデオカメラレコーダとして構成されている。
【００１０】
上記した従来の映像撮影記録再生装置１００では、カメラ本体枠１０１が略直方枠状に形成されており、このカメラ本体枠１０１のうちで操作側となる側面１０１ａの外側に不図示の撮影レンズで撮影した被写体像を表示するための液晶表示部１０２が開閉自在に取り付けられている。
【００１１】
ここで、液晶表示部１０２は、被写体像を表示する長方形状の液晶パネル１０３と、この液晶パネル１０３を取り付ける液晶パネル支持枠１０４とで構成されており、映像撮影記録再生装置１００の不使用時に、液晶パネル１０３をカメラ本体枠１０１の側面１０１ａに対向するように液晶パネル支持枠１０４の内面１０４ａに取り付けた状態で、この液晶パネル支持枠１０４をカメラ本体枠１０１の側面１０１ａの外側にヒンジ機構部１１０により開閉自在に取り付けている。
【００１２】
この際、液晶パネル支持枠１０４は、液晶パネル１０３を取り付けた内面１０４ａと対向する外面１０４ｂと、互いに対向する上下一対の長辺と対応した上下の面１０４ｃ，１０４ｄと、左右一対の短辺と対応した左右の側面１０４ｅ，１０４ｆとに囲まれて内部が密閉された略直方形状の枠体に形成されている。
【００１３】
また、カメラ本体枠１０１の側面１０１ａの外側に液晶表示部１０２を開閉自在に取り付けるためのヒンジ機構部１１０は、カメラ本体枠１０１の側面１０１ａ上でこの側面１０１ａに直交する一端面１０１ｂ側の上方部位と、液晶パネル支持枠１０４の左側面１０４ｅの外側上方部位との間に、垂直方向（高さ方向）に沿った第１の軸（Ｘ軸）を中心にして回動する第１のヒンジ１１１が取り付けられ、且つ、液晶パネル支持枠１０４の上面１０４ｃの内側で該第１の軸（Ｘ軸）と直交して水平方向（横方向）に沿った第２の軸（Ｙ軸）を中心にして回動する第２のヒンジ１１２が取り付けられている。
【００１４】
尚、１０５はＶＴＲ系の釦、１０６はスピーカをそれぞれ示している。
【００１５】
そして、上記のように構成された従来の映像撮影記録再生装置１００を使用する場合には、まず液晶表示部１０２をＸ軸となる第１のヒンジ１１１を中心にして９０°開く｛図６（ａ）中の矢印（ア）の操作｝。そして、その位置でＹ軸となる第２のヒンジ１１２を中心にして液晶表示部１０２を９０°回動させる｛図６（ａ）中の矢印（イ）の操作｝。この後、液晶表示部１０２をＸ軸となる第１のヒンジ１１１を中心にして９０°回動させて元に戻す｛図６（ａ）中の矢印（ウ）の操作｝。
【００１６】
この際、図６（ｂ）に示したように、液晶表示部１０２をＹ軸となる第２のヒンジ１１２を中心にして所望の角度だけ回動させた時に、カメラ本体枠１０１の上面１０１ｃ側にこの動きを妨げるものがないために、液晶表示部１０２に対して十分大きな傾斜角度を確保できる旨が開示されている。
【発明の開示】
【発明が解決しようとする課題】
【００１７】
ところで、上記した従来の映像撮影記録再生装置１００において、液晶表示部１０２は、垂直方向（高さ方向）に沿った第１の軸（Ｘ軸）を中心にして回動する第１のヒンジ１１１と、該第１の軸（Ｘ軸）と直交して水平方向（横方向）に沿った第２の軸（Ｙ軸）を中心にして回動する第２のヒンジ１１２とからなるヒンジ機構部１１０によりカメラ本体枠１０１の側面１０１ａの外側に開閉自在に取り付けられているものの、最近、被写体を高画質で撮影するために不図示の撮像レンズは大口径化が望まれており、且つ、撮像レンズで撮影した被写体像を表示するための液晶パネル１０３も大画面化が望まれている。
【００１８】
また、ビデオカメラにおいて、磁気テープや光ディスクなどの記録媒体の他に、小型のＨＤＤ（Ｈａｒｄ  Ｄｉｓｃ  ｄｒｉｖｅ）や固体メモリを用いたものが開発されており、撮影レンズに対してカメラ本体枠がより小さくなる傾向がある。
【００１９】
ここで、図６（ａ），（ｂ）を基にして上面図，側面図，前面図を図７（ａ）〜（ｃ）に示したように作成し、以下、この図７（ａ）〜（ｃ）を参照して説明する。
【００２０】
図７（ａ）〜（ｃ）は従来の映像撮影記録再生装置を示した上面図，側面図，前面図である。
【００２１】
図７（ａ）〜（ｃ）に示したように、液晶パネル１０３を液晶パネル支持枠１０４の内面１０４ａに取り付けて構成した液晶表示部１０２を開閉自在に支持するヒンジ機構部１１０のうちで第１のヒンジ１１１は、カメラ本体枠１０１の側面１０１ａ上で一端面１０１ｂ側の上方部位と、液晶パネル支持枠１０４の左側面１０４ｅの外側上方部位との間に、垂直方向（高さ方向）に沿った第１の軸（Ｘ軸）を中心にして回動自在に取り付けられており、この際、第１のヒンジ１１１の軸径は例えばφＤの寸法を必要とする。
【００２２】
従って、第１のヒンジ１１１の軸径φＤを考慮した場合に、カメラ本体枠１０１のうちで光軸方向と対応した横幅寸法Ｌ１を第１のヒンジ１１１の軸径φＤに相当する寸法だけ広げる必要があるので、カメラ本体枠１０１の横幅寸法Ｌ１が大きくなってしまうと共に、液晶パネル支持枠１０４の横幅寸法Ｌ２を第１のヒンジ１１１の軸径φＤに相当する寸法だけ縮める必要があるために、液晶パネル支持枠１０４の横幅寸法Ｌ２が小さくなってしまい、これに伴って液晶パネル支持枠１０４内に取り付けた液晶パネル１０の横幅寸法Ｌ３も小さくなってしまう。
【００２３】
一方、ヒンジ機構部１１０のうちで第２のヒンジ１１２は、液晶パネル支持枠１０４の上面１０４ｃの内側に沿って該第１の軸（Ｘ軸）と直交して水平方向（横方向）に沿った第２の軸（Ｙ軸）を中心に回動自在に取り付けられているが、カメラ本体枠１０１の高さ寸法Ｈ１に対して液晶パネル支持枠１０４の高さ寸法Ｈ２は低く、例えば、不図示の撮像レンズを大口径化した場合でも液晶パネル支持枠１０４の高さ寸法Ｈ２を大きくすることが可能であるので、液晶パネル１０３の高さ寸法Ｈ３に影響を与えない。
【００２４】
そこで、電子カメラの液晶表示部をカメラ本体枠の側面の外側にヒンジ機構部により開閉自在に取り付ける際に、ヒンジ機構部に影響なくカメラ本体枠の横幅寸法及び液晶パネル支持枠の横幅寸法をそれぞれ所望の値に設定でき、カメラ本体枠に対してムダなスペースを取ることなく液晶パネルの大画面化が可能な電子カメラが望まれていると共に、液晶パネルの画面サイズが１６：９のように横長であっても液晶パネル支持枠の横幅寸法を縮めることなく液晶パネルの大画面化が可能な電子カメラが望まれている。
【課題を解決するための手段】
【００２５】
本発明は上記課題に鑑みてなされたものであり、請求項１記載の発明は、カメラ本体枠と、
液晶パネルが液晶パネル支持枠の内面に取り付けられてなる液晶表示部と、
前記カメラ本体枠の側面に対して、前記液晶表示部を開閉自在に支持するヒンジ機構部と、を備えた電子カメラにおいて、
前記ヒンジ機構部は、
前記カメラ本体枠の上面のうちで一端部近傍に前記液晶パネル支持枠側に向かって取り付けられ、垂直方向に沿った第１の軸を有する第１のヒンジと、
前記液晶パネル支持枠のうちで前記カメラ本体枠の上面の一端部側に位置する側面よりも内側の上方部位に取り付けられ、前記第１の軸と直交して水平方向に沿った第２の軸を有する第２のヒンジと、
一端側が前記第１のヒンジを中心にして回動自在に連結され、且つ、他端側が前記第２のヒンジを中心して回動自在に連結された連結部材と、を備えたことを特徴とする電子カメラである。
【発明の効果】
【００２６】
請求項１記載の電子カメラによると、カメラ本体枠の側面に対して、液晶表示部をヒンジ機構部により開閉自在に取り付ける際に、ヒンジ機構部は、カメラ本体枠の上面のうちで一端部近傍に液晶パネル支持枠側に向かって取り付けられ、垂直方向に沿った第１の軸を有する第１のヒンジと、液晶パネル支持枠のうちでカメラ本体枠の上面の一端部側に位置する側面よりも内側の上方部位に取り付けられ、第１の軸と直交して水平方向に沿った第２の軸を有する第２のヒンジと、一端側が第１のヒンジを中心にして回動自在に連結され、且つ、他端側が第２のヒンジを中心して回動自在に連結された連結部材と、を備えているので、液晶パネル支持枠のうちでカメラ本体枠の上面の一端部位側に位置する側面の外側にヒンジ機構部が存在しないために、カメラ本体枠の横幅寸法及び液晶パネル支持枠の横幅寸法並びに液晶パネルの横幅寸法をそれぞれ所定の値に設定でき、これに伴って液晶パネルの大画面化が可能となる。
【発明を実施するための最良の形態】
【００２７】
以下に本発明に係る電子カメラの一実施例について図１〜図５を参照して詳細に説明する。
【実施例】
【００２８】
図１は本発明に係る電子カメラを説明するにあたって、液晶表示部をカメラ本体枠の側面の外側に開閉自在に支持するヒンジ機構部を設置するための空きスペースを示した前面図である。
【００２９】
図１に示した如く、本発明に係る電子カメラ１０は、スチルカメラやビデオカメラなどに適用可能に構成されている。
【００３０】
上記した電子カメラ１０では、略直方枠状に形成したカメラ本体枠１１の前面１１ａ側に大口径の撮影レンズ１２を内蔵したレンズ鏡筒１３が固定又は着脱自在に取り付けられている。
【００３１】
また、カメラ本体枠１１の前面１１ａと直交する一つの側面１１ｂの外側には、撮影レンズ１２により撮影した被写体像を表示するための液晶表示部１４が開閉自在に取り付けられている。
【００３２】
尚、本発明に係る電子カメラ１０をビデオカメラとして構成した場合には、カメラ本体枠１１の内部に不図示の記録再生部が設けられているので、この記録再生部で記録済みの画像を再生した場合にこの画像を液晶表示部１４に表示することも可能である。
【００３３】
上記した液晶表示部１４は、撮影レンズ１２により撮影した被写体像を表示する長方形状の液晶パネル１５と、この液晶パネル１５を取り付ける直方形状の液晶パネル支持枠１６とで構成されており、不使用時に液晶パネル１５をカメラ本体枠１１の側面１１ｂに対向するように液晶パネル支持枠１６の内面１６ａに取り付けた状態で、この液晶パネル支持枠１６をカメラ本体枠１１の側面１１ｂの外側に後述するヒンジ機構部２０（図２〜図５）により開閉自在に取り付けていると共に、液晶パネル支持枠１６の内面１６ａと対向する外面１６ｂ側は閉じられている。
【００３４】
ここで、被写体を高画質で撮影するために撮像レンズ１２は大口径化が図られており、且つ、カメラ本体枠１１側ではレンズ鏡筒１３を含めた高さ寸法Ｈ１が液晶パネル支持枠１６の高さ寸法Ｈ２よりも大きく設定されているので、レンズ鏡筒１３の最高部位１３ａと液晶パネル支持枠１６の上面１６ｃとの間に斜線で図示した空きスペースＳが得られる。
【００３５】
上記した空きスペースＳは、不図示の固体メモリやＨＤＤを搭載して、撮影レンズ１２に対してカメラ本体枠１１が相対的に小型化されているビデオカメラにおいても同様に得られるものである。
【００３６】
そこで、液晶パネル支持枠１６の上面１６ｃ側を二点鎖線で示した位置まで延長して液晶パネル支持枠１６の高さ寸法をＨ２よりも高い寸法Ｈ２’に形成し、上記した空きスペースＳと対応した液晶パネル支持枠１６内の延長部位を利用して液晶表示部１４を開閉自在に支持するためのヒンジ機構部２０（図２〜図５）を後述するよう取り付けており、以下、図２〜図５を用いて具体的に説明する。この際、液晶パネル支持枠１６の内面１６ａ側に取り付けられた液晶パネル１５の高さ寸法Ｈ３は液晶パネル支持枠１６の高さ寸法Ｈ２’よりも当然小さく設定されている。
【００３７】
図２は本発明に係る電子カメラにおいて、液晶表示部がカメラ本体枠の側面の外側で閉じている初期状態を示した斜視図、
図３（ａ），（ｂ）は本発明に係る電子カメラにおいて、液晶表示部を開閉自在に支持するためのヒンジ機構部を拡大して示した斜視図，縦断面図、
図４は本発明に係る電子カメラを使用する時に、液晶パネル支持枠をＸ軸となる第１のヒンジを中心して回動させた状態を示した斜視図、
図５は本発明に係る電子カメラを使用する時に、液晶パネル支持枠をＹ軸となる第２のヒンジを中心して回動させた状態を示した斜視図である。
【００３８】
尚、上記した図２，図４，図５中で、カメラ本体枠１１は、不図示の撮像素子及び記録再生部の各構成部品を取り外した状態で示している。       
図２に示した如く、本発明に係る電子カメラ１０では、前述したように、カメラ本体枠１１の前面１１ａ側に大口径の撮像レンズ１２を内蔵したレンズ鏡筒１３が前方に突出して取り付けられ、且つ、液晶パネル１５を液晶パネル支持枠１６の内面１６ａに取り付けて構成した液晶表示部１４がカメラ本体枠１１の側面１１ｂの外側にヒンジ機構部２０により開閉自在に支持されている。
【００３９】
この際、液晶パネル支持枠１６は、液晶パネル１５を取り付けた内面１６ａと対向する外面１６ｂと、互いに対向する上下一対の長辺と対応した上下の面１６ｃ，１６ｄと、互いに対向する左右一対の短辺と対応した左右の側面１６ｅ，１６ｆとに囲まれて内部が密閉された略直方形状の枠体に形成されている。
【００４０】
また、液晶パネル支持枠１６を開閉自在に支持するためのヒンジ機構部２０は、カメラ本体枠１１の上面１１ｃのうちで前面１１ａ側の一端部近傍に、垂直方向（高さ方向）に沿った第１の軸（Ｘ軸）を有する第１のヒンジ２１が液晶パネル支持枠１６側に向かって取り付けられている。また、液晶パネル支持枠１６のうちでカメラ本体枠１１の上面１１ｃの一端部側に位置する左側面１６ｅよりも内側の上方部位に、該第１の軸（Ｘ軸）と直交して水平方向（横方向）に沿った第２の軸（Ｙ軸）を有する第２のヒンジ２２が取り付けられている。更に、後述する逆Ｌ字状の連結部材２８（図３）の一端側が第１のヒンジ２１を中心にして回動自在に連結され、且つ、他端側が第２のヒンジ２２を中心にして回動自在に連結されている。
【００４１】
上記からヒンジ機構部２０は、先に図１で示した空きスペースＳを有効に利用して取り付けられているので、液晶パネル支持枠１６の左側面１６ｅの外側にヒンジ機構部２０が存在しないために、カメラ本体枠１１の横幅寸法Ｌ１及び液晶パネル支持枠１６の横幅寸法Ｌ２並びに液晶パネル１５の横幅寸法Ｌ３をそれぞれ所定の値に設定できる。
【００４２】
従って、従来例で説明したようなカメラ本体枠１１の横幅寸法Ｌ１が大きくなったり、あるいは、液晶パネル支持枠１６の横幅寸法Ｌ２が小さくなってしまうようなことがないので、これに伴って液晶パネル１５の大画面化が可能となる。
【００４３】
ここで、上記したヒンジ機構部２０を図３（ａ），（ｂ）に拡大して図示して具体的に説明すると、カメラ本体枠１１側に取り付けられる第１のヒンジ２１は、Ｘ軸となる第１フランジ付きシャフト２３が略Ｚ字状に形成された第１ブラケット２４に垂直方向(高さ方向)に沿って固着されている。この際、第１フランジ付きシャフト２３は、大径なフランジ部２３ａの中心部位に小径なシャフト部２３ｂが一体的に垂設されており、長尺なシャフト部２３ｂが第１ブラケット２４に穿設した孔に圧入又は接着された状態で後述する逆Ｌ字状の連結ブラケット２８側に向かって突出している。
【００４４】
そして、第１フランジ付きシャフト２３を固着した第１ブラケット２４が、図２に示したカメラ本体枠１１の上面１１ｃのうちで前面１１ａ側の一端部近傍に、カメラ本体枠１１の側面１１ｂと直交して液晶パネル支持枠１６の内面１６ａ側に向かって取り付けられている。
【００４５】
図３（ａ），（ｂ）に戻り、液晶パネル支持枠１６に取り付けられる第２のヒンジ２２は、Ｙ軸となる第２フランジ付きシャフト２５がＬ字状に形成された第２ブラケット２６に水平方向(横方向)に沿って固着されている。この際、第２フランジ付きシャフト２５は、大径なフランジ部２５ａの中心部位に小径なシャフト部２５ｂが一体的に横設されており、長尺なシャフト部２５ｂが第２ブラケット２６に穿設した孔に圧入又は接着された状態で後述する逆Ｌ字状の連結ブラケット２８側に向かって突出している。
【００４６】
そして、第２フランジ付きシャフト２５を固着した第２ブラケット２６が、図２に示した液晶パネル支持枠１６のうちでカメラ本体枠１１の上面１１ｃの一端部側に位置する左側面１６ｅよりも内側の上方部位に、上記した第１ブラケット２４と直交して液晶パネル支持枠１６の上面１６ｃに沿って取り付けられている。
【００４７】
再び、図３（ａ），（ｂ）に戻り、第１，第２フランジ付きシャフト２３，２５は、第１，第２ブラケット２４，２６の各孔を通った各シャフト部２３ｂ，２５ｂにラバーコルクなどによる摩擦伝達部材２７，２７をそれぞれ嵌め込んだ後に、各シャフト部２３ｂ，２５ｂが逆Ｌ字状に形成された連結ブラケット２８の一端側及び他端側に穿設した各孔に回動自在に嵌め込まれ、更に、各シャフト部２３ｂ，２５ｂの各先端部位がフランジ２９，２９を介してカシメなどにより締結されている。
【００４８】
従って、第１のヒンジ２１を構成する第１フランジ付きシャフト２３と、第２のヒンジ２２を構成する第２フランジ付きシャフト２５とが逆Ｌ字状の連結ブラケット２８の一端側と他端側とに連結された後には、逆Ｌ字状の連結ブラケット２８の一端側がＸ軸となる第１フランジ付きシャフト２３を中心にして矢印Ａ１，Ａ２方向に回動自在となると共に、逆Ｌ字状の連結ブラケット２８の他端側がＹ軸となる第２フランジ付きシャフト２５を中心にして矢印Ｂ１，Ｂ２方向に回動自在となっている。
【００４９】
ここで、電子カメラ１０を使用しない初期状態である時には、図２に示したように、液晶表示部１４は閉じた状態であり、液晶パネル支持枠１６の内面１６ａに取り付けた液晶パネル１５をカメラ本体枠１１の側面１１ｂに重ね合わせて液晶パネル１５を保護している。
【００５０】
一方、電子カメラ１０を使用する時には、図４及び図５に示したように、液晶表示部１４を開いて液晶パネル支持枠１６の内面１６ａに取り付けた液晶パネル１５を使用者が目視できるようになっている。
【００５１】
この際、図４に示した状態では、図２に示した初期状態から液晶表示部１４をヒンジ機構部２０のうちでＸ軸となる第１のヒンジ２１を中心にして矢印Ａ１方向に例えば９０°回動させて開くことで、液晶パネル支持枠１６の内面１６ａに取り付けた液晶パネル１５が略垂直な姿勢を保って使用者に目視可能な状態に至る。
【００５２】
また、図５に示した状態では、図４に示した状態から液晶表示部１４をヒンジ機構部２０のうちでＹ軸となる第２のヒンジ２２を中心にして矢印Ｂ１方向に例えば９０°回動させることで、液晶パネル支持枠１６の内面１６ａに取り付けた液晶パネル１５が略水平な姿勢を保って使用者に目視可能な状態に至る。更に、図示を省略するものの、図５に示した状態から液晶表示部１４をヒンジ機構部２０のうちでＹ軸となる第２のヒンジ２２を中心にして矢印Ｂ１方向に更に９０°回動させることで、液晶表示部１４をレンズ鏡筒１３側から目視可能な状態に至る。
【００５３】
尚、図４及び図５では、液晶表示部１４を第１，第２のヒンジ２１，２２を中心にしてそれぞれ適宜な角度回動させれば、第１，第２のヒンジ２１，２２にそれぞれ設けた摩擦伝達部材２７，２７（図２）により液晶表示部１４を適宜な角度で保持できる。
【００５４】
更に、液晶表示部１４を図２に示した初期状態に戻す場合には、第２のヒンジ２２，第１のヒンジ２１の順に上記とは逆方向に回動させれば良い。
【図面の簡単な説明】
【００５５】
【図１】本発明に係る電子カメラを説明するにあたって、液晶表示部をカメラ本体枠の側面の外側に開閉自在に支持するヒンジ機構部を設置するための空きスペースを示した前面図である。
【図２】本発明に係る電子カメラにおいて、液晶表示部がカメラ本体枠の側面の外側で閉じている初期状態を示した斜視図である。
【図３】（ａ），（ｂ）は本発明に係る電子カメラにおいて、液晶表示部を開閉自在に支持するためのヒンジ機構部を拡大して示した斜視図，縦断面図である。
【図４】本発明に係る電子カメラを使用する時に、液晶パネル支持枠をＸ軸となる第１のヒンジを中心にして回動させた状態を示した斜視図である。
【図５】本発明に係る電子カメラを使用する時に、液晶パネル支持枠をＹ軸となる第２のヒンジを中心にして回動させた状態を示した斜視図である。
【図６】従来の映像撮影記録再生装置を示した斜視図であり、（ａ）は液晶パネル支持枠をＸ軸となる第１のヒンジを中心にして回動させた状態を示し、（ｂ）は液晶パネル支持枠をＹ軸となる第２のヒンジを中心にして回動させた状態を示した図である。
【図７】（ａ）〜（ｃ）は従来の映像撮影記録再生装置を示した上面図，側面図，前面図である。
【符号の説明】
【００５６】
１０…電子カメラ、
１１…カメラ本体枠、１１ａ…前面、１１ｂ…側面、１１ｃ…上面、
１２…撮影レンズ、１３…レンズ鏡筒、
１４…液晶表示部、１５…液晶パネル、
１６…液晶パネル支持枠、１６ａ…内面、１６ｂ…外面、１６ｃ…上面、
１６ｄ…下面、１６ｅ…左側面、１６ｅ…右側面、
２０…ヒンジ機構部、２１…第１のヒンジ、２２…第２のヒンジ、
２３…第１フランジ付きシャフト、２３ａ…フランジ部、２３ｂ…シャフト部、
２４…第１ブラケット、
２５…第２フランジ付きシャフト、２５ａ…フランジ部、２５ｂ…シャフト部、
２６…第２ブラケット、
２７…摩擦伝達部材、２８…連結ブラケット、２９…フランジ。
【図１】
2008035229.tif 000003
【図２】
2008035229.tif 000004
【図３】
2008035229.tif 000005
【図４】
2008035229.tif 000006
【図５】
2008035229.tif 000007
【図６】
2008035229.tif 000008
【図７】
2008035229.tif 000009